【事件の表示】
　特許第３２６２８６３号「折畳みコンテナ」の請求項１に係る特許に対する特許異議の申立てについて、次のとおり決定する。
【結　論】
　訂正を認める。
　特許第３２６２８６３号の請求項１に係る特許を維持する。
【理　由】
１．手続の経緯
　本件特許第３２６２８６３号の請求項１に係る発明は、平成４年１１月１７日に出願され、平成１３年１２月２１日にその特許権の設定登録がなされたものであるが、その後、特許異議申立人小林頼正より異議の申立がなされ、取消の理由が通知され、その指定期間内である平成１５年１月３１日に訂正請求がなされたものである。
　　　　　　　　　　　　　　　　　　　　　　　　　　　　　　　　　
２．訂正の適否についての判断
（１）訂正の内容
Ａ．訂正事項ａ
　　平成１３年１月３１日付手続補正書により補正された特許請求の範囲の請求項１に係る記載
「フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部及び下側板部の周縁部に、テーパ面と水平面を介して尖頭状に外方に膨出するコンテナ内方側の水平方向に開口した横断面略コ字状の膨出部を一体に屈曲成形したことを特徴とする折畳みコンテナ。」
を、
「フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部
の下部
上部とには
とこれらを連結する略垂直な面とにより
と訂正する。
Ｂ．訂正事項ｂ
　【０００８】の記載
「上記目的を達成するため、本発明に係る折畳みコンテナは、フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部及び下側板部の周縁部に、テーパ面と水平面を介して尖頭状に外方に膨出するコンテナ内方側の水平方向に開口した横断面略コ字状の膨出部を一体に屈曲成形したことを特徴とするものである。」
を、
「上記目的を達成するため、本発明に係る折畳みコンテナは、フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部
の下部と
上部とには
とこれらを連結する略垂直な面とにより
と訂正する。
Ｃ．訂正事項ｃ
　【０００９】の記載
「【作用】
　上記のように構成した本発明によれば、側板を構成する上側板部と下側板部は、その周縁部に形成された横断面略コ字状の膨出部によって補強され、しかもこの膨出部の表面及び裏面は、全て外部に露出した状態にあるので、コンテナ内外からの水洗い等によって容易に洗浄することができる。更に、膨出部の裏面は開放されているので、ここに水が溜まってしまうことがなく、従って、水抜き孔等を別途設けたり、中空成形する必要はない。」
を、
「【作用】
　上記のように構成した本発明によれば、側板を構成する上側板部と下側板部は、
上側板部の下部と下側板部の上部
と訂正する。
Ｄ．訂正事項ｄ
　【００１６】の記載
「前記膨出部９は、両端を半円状とするとともに、外方に向けて上下左右方向に拡がった傾斜を有するテーパ面９ａと、上側板部６の端部を内方に向けて略直角に屈曲させた水平部９ｂとを有し、このテーパ面９ａと水平面９ｂを介して内方に開口した横断面コ字状に形成されている。」
を、
「前記膨出部９は、両端を半円状とするとともに、外方に向けて上下左右方向に拡がった傾斜を有するテーパ面９ａと、上側板部６の端部を内方に向けて略直角に屈曲させた水平部９ｂと
、このテーパ面９ａと水平面９ｂとこれらを連結する略垂直な面
とこれらを連結する略垂直な
Ｅ．訂正事項ｅ
　【００１７】の記載
【００１７】
「膨出部１０も前記膨出部９とほぼ同様に、外方に向けて上下左右方向に拡がった傾斜を有するテーパ面１０ａと、下側板部７の端部を内方に向けて略直角に屈曲させた水平部１０ｂとを有し、このテーパ面１０ａと水平面１０ｂを介して内方に開口した横断面コ字状に形成されている。」
を、
「膨出部１０も前記膨出部９とほぼ同様に、外方に向けて上下左右方向に拡がった傾斜を有するテーパ面１０ａと、下側板部７の端部を内方に向けて略直角に屈曲させた水平部１０ｂ
と、このテーパ面９ａと水平面９ｂとこれらを連結する略垂直な面
とこれらを連結する略垂直な面
と訂正する。
Ｆ．訂正事項ｆ
　【００２２】の記載
「【発明の効果】
　本発明は上記のような構成であるので、膨出部によって補強されて側板を構成する上側板部及び下側板部の表裏両面を、コンテナ内外からの水洗い等によって膨出部を含めくまなく洗浄することができる。しかも膨出部の裏面に水が溜まることがないので、水抜き孔等を別途設けたり、中空成形する必要をなくして、この成形の容易化を図ることができる。」
を、
「【発明の効果】
　本発明は上記のような構成であるので、膨出部によって補強されて側板を構成する上側板部及び下側板部の表裏両面を、コンテナ内外からの水洗い等によって膨出部を含めくまなく洗浄することができる。しかも
上側板部の下部と下側板部の上部に形成した
と訂正する。
　　　　　　　　　　　　　　　　　　　　　　　　　　　　　　　　　
（２）訂正の目的の適否、新規事項の有無及び拡張・変更の存否
ア．訂正事項ａ
　側板を構成する「上側板部」、「下側板部」と「ヒンジ」との相互の構成における関連性を具体的にしたものであり、この点については、特許明細書の段落【００１１】及び図２に開示されている。
　そして「略垂直な面」についても、「尖頭状」という記載を、「略垂直な面」と表現することによって具体的に「コ字状」を構成する面を明かにしたものであり、図１に開示されている。
　してみれば、この訂正は、特許請求の範囲の減縮に相当するものであるから願書に添付した明細書または図面に記載された範囲内の訂正であり、実質的に特許請求の範囲を拡張または変更するものではない。
イ．訂正事項ｂ−ｆ
　これらの訂正事項については、特許請求の範囲の訂正に基づいて、それと整合させるための訂正と認められる。
　してみれば、この訂正は、明細書の記載を明瞭にするための訂正であり、不明瞭の記載の釈明に相当する。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第1項ただし書、第２項及び第３項の規定に適合するので、当該訂正を認める。
　　　　　　　　　　　　　　　　　　　　　　　　　　　　　　　　　
３．特許異議申立てについての判断
（１）申立ての理由の概要
　　特許異議申立人小林頼正は、請求項１に係る発明は、甲第１−３号証に記載された発明に基づいて容易に発明をすることができたものであり、特許法第２９条第２項の規定に該当するから、請求項１に係る発明の特許を取り消すべきものであると主張している。
　
（２）本件特許発明
　上記２．で示したように、上記訂正が認められるから、本件の請求項１に係る発明は、上記訂正請求に係る訂正明細書の特許請求の範囲の請求項１に記載された事項により特定されるとおりのものである。
　　　　　　　　　　　　　　　　　　　　　　　　　　　　　　　　　
（３）刊行物等
　特許異議申立人が証拠として提出した刊行物には、それぞれ以下のような発明が記載されている。
刊行物１：特開平４−２４２５３７号公報（異議申立人の提出した甲第１号証）
　フレーム２と底板３との間に配置され、蝶番部４５、５５を介して内方に折畳み自在な側板４と側板５とを備え、上端を前記フレーム２に揺動自在に支承したあおり板６、６で端部を閉塞するようにした折畳み可能なコンテナであって、側板の連結部近傍に設けた斜めに突出する覆部４７、５７が横リブの役目を果たし、側板４、５の強度向上を図れ、側板４、５の外表面には、各連結部を除いてゴミが溜まりやすいリブ等を設ける必要が無くなり、表面を平板状にできる効果がある。
　　　　　　　　　　　　　　　　　　　　　　　　　　　　　　　　　
刊行物２：登録意匠第７６９０９２号公報
　運搬用容器において、蓋の周囲にテーパー面と水平面とからなる膨出部が形成された点が開示されている。
　　　　　　　　　　　　　　　　　　　　　　　　　　　　　　　　　
刊行物３：白石準一郎著「射出成形用金型」日刊工業新聞社刊（昭和４８年１２月２０日発行）
　一般に、射出成形において、膨出部をテーパ面と水平面を介して尖頭状に膨出させる点が開示されている。
　
（４）対比・判断
　上記訂正により、請求項１に係る発明は、側板を立て起こした状態として見たときに、上側板部の下部及び下側板部の上部とには、テーパ面と水平面とこれらを連結する略垂直な面とにより外方に膨出するコンテナ内方側の水平方向に開口した横断面略コ字状の膨出部を一体に屈曲成形したことが特定されている。この構成により、上側板部及び下側板部の表裏両面を、コンテナ内外からの水洗い等によって膨出部を含めくまなく洗浄することができるとともに、上側板部の下部と下側板部の上部に形成した膨出部の裏面に水が溜まることがないので、水抜き孔等を別途設けたり、中空成形する必要をなくして、この成形の容易化を図ることができるという効果を生じるものである。
　ところで、上記刊行物１乃至３には、上記訂正により特定された事項に関しては何ら記載されておらず、またそれを示唆する記載もない。
　よって、請求項１に係る発明は、上記刊行物１乃至３の何れにも記載されておらず、また上記刊行物１乃至３に記載された発明に基いて当業者が容易に発明をすることができたものともいえない。
　　　　　　　　　　　　　　　　　　　　　　　　　　　　　　　　　
（５）むすび
　以上のとおりであるから、特許異議申立ての理由及び証拠によっては、本件請求項１に係る特許を取り消すことができない。
　また、他に本件請求項１に係る特許を取り消すべき理由を発見しない。
　よって結論のとおり決定する。
【異議決定日】
平成１５年４月３０日（２００３．４．３０）
【訂正の要旨】
　▲１▼　　　訂正事項ａ
　平成１３年１月３１日の本件請求人提出に係る手続補正書により補正された特許請求の範囲の請求項１に係る記載
「　フレームと底板との間に配置され、ヒンジを介して内方に折り畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部及び下側板部の周縁部に、テーパ面と水平面を介して尖頭状に外方に膨出するコンテナ内方側の水平方向に開口した横断面略コ字状の膨出部を一体に屈曲成形したことを特徴とする折畳みコンテナ。」
を、
「　フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部の下部と下側板部の上部とには、テーパ面と水平面とこれらを連結する略垂直な面とにより外方に膨出するコンテナ内方側の水平方向に開口した横断面略コ字状の膨出部を一体に屈曲成形したことを特徴とする折畳みコンテナ。」
と訂正する。
　▲２▼　　　訂正事項ｂ
　【０００８】の記載
　「【課題を解決するための手段】
　上記目的を達成するため、本発明に係る折畳みコンテナは、フレームと底板との間に配置され、ヒンジを介して内方に折り畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部及び下側板部の周縁部に、テーパ面と水平面を介して尖頭状に外方に膨出するコンテナ内方側の水平方向に開口した横断面略コ字状の膨出部を一体に屈曲成形したことを特徴とするものである。」
を、
　「【課題を解決するための手段】
　上記目的を達成するため、本発明に係る折畳みコンテナは、フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部の下部と下側板部の上部とには、テーパ面と水平面とこれらを連結する略垂直な面とにより外方に膨出するコンテナ内方側の水平方向に開口した横断面略コ字状の膨出部を一体に屈曲成形したことを特徴とするものである。」と訂正する。
　▲３▼　　　訂正事項ｃ
　【０００９】の記載
　「【作用】
　上記のように構成した本発明によれば、側板を構成する上側板部と下側板部は、その周縁部に形成された横断面略コ字状の膨出部によって補強され、しかもこの膨出部の表面及び裏面は、全て外部に露出した状態にあるので、コンテナ内外からの水洗い等によって容易に洗浄することができる。更に、膨出部の裏面は開放されているので、ここに水が溜まってしまうことがなく、従って、水抜き孔等を別途設けたり、中空成形する必要はない。」
を、
　「【作用】
　上記のように構成した本発明によれば、側板を構成する上側板部と下側板部は、上側板部の下部と下側板部の上部に形成された横断面略コ字状の膨出部によって補強され、しかもこの膨出部の表面及び裏面は、全て外部に露出した状態にあるので、コンテナ内外からの水洗い等によって容易に洗浄することができる。更に、膨出部の裏面は開放されているので、ここに水が溜まってしまうことがなく、従って、水抜き孔等を別途設けたり、中空成形する必要はない。」と訂正する。
　▲４▼　　　訂正事項ｄ
　【００１６】の記載
「　前記膨出部９は、両端を半円状とするとともに、外方に向けて上下左右方向に拡がった傾斜を有するテーパ面９ａと、上側板部６の端部を内方に向けて略直角に屈曲させた水平部９ｂとを有し、このテーパ面９ａと水平面９ｂを介して内方に開口した横断面コ字状に形成されている。」
を、
「　前記膨出部９は、両端を半円状とするとともに、外方に向けて上下左右方向に拡がった傾斜を有するテーパ面９ａと、上側板部６の端部を内方に向けて略直角に屈曲させた水平部９ｂと、このテーパ面９ａと水平面９ｂとこれらを連結する略垂直な面とを有し、このテーパ面９ａと水平面９ｂとこれらを連結する略垂直な面を介して内方に開口した横断面コ字状に形成されている。」と訂正する。
　▲５▼　　　訂正事項ｅ
　【００１７】の記載
「　膨出部１０も前記膨出部９とほぼ同様に、外方に向けて上下左右方向に拡がった傾斜を有するテーパ面１０ａと、下側板部７の端部を内方に向けて略直角に屈曲させた水平部１０ｂとを有し、このテーパ面１０ａと水平面１０ｂを介して内方に開口した横断面コ字状に形成されている。」
を、
「　膨出部１０も前記膨出部９とほぼ同様に、外方に向けて上下左右方向に拡がった傾斜を有するテーパ面１０ａと、下側板部７の端部を内方に向けて略直角に屈曲させた水平部１０ｂと、このテーパ面１０ａと水平面１０ｂとこれらを連結する略垂直な面とを有し、このテーパ面１０ａと水平面１０ｂとこれらを連結する略垂直な面を介して内方に開口した横断面コ字状に形成されている。」と訂正する。
　▲６▼　　　訂正事項ｆ
　【００２２】の記載
「【発明の効果】
　本発明は上記のような構成であるので、膨出部によって補強されて側板を構成する上側板部及び下側板部の表裏両面を、コンテナ内外からの水洗い等によって膨出部を含めくまなく洗浄することができる。しかも膨出部の裏面に水が溜まることがないので、水抜き孔等を別途設けたり、中空成形する必要をなくして、この成形の容易化を図ることができる。」
を、
「【発明の効果】
　本発明は上記のような構成であるので、膨出部によって補強されて側板を構成する上側板部及び下側板部の表裏両面を、コンテナ内外からの水洗い等によって膨出部を含めくまなく洗浄することができる。しかも、上側板部の下部と下側板部の上部に形成した膨出部の裏面に水が溜まることがないので、水抜き孔等を別途設けたり、中空成形する必要をなくして、この成形の容易化を図ることができる。」と訂正する。
（５４）【発明の名称】
折畳みコンテナ
（５７）【特許請求の範囲】
　【請求項１】　フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部
の下部
上部とには
とこれらを連結する略垂直な面とにより
【発明の詳細な説明】
　【０００１】
　【産業上の利用分野】
　本発明は、折畳み自在な折畳みコンテナに係わり、特にヒンジを介して内方に折畳み自在な上側板部と下側板部とによって構成される側板の清掃の便を図った折畳みコンテナに関する。
　【０００２】
　【従来の技術】
　一般に、折畳みコンテナは、矩形枠状のフレームと平板状の底板との間に、ヒンジを介して内方に折畳み自在な上側板部と下側板部とからなり側部を閉塞する一対の側板と、上端を前記フレームに揺動自在に支承されて端部を閉塞する一対の煽り板とを配置することによって構成されている。
　【０００３】
　従来、上記折畳みコンテナにおいては、この軽量化及び堅固化を図るため、側板の外周面に縦横に延びる多数の補強用の細リブを設けることが一般に行われていた。そのため、リブの基端部に塵やゴミが溜まり易く、水荒いによる洗浄によっても、リブが邪魔となって付着物を除去することが困難であった。
　【０００４】
　そこで、特開平４−２４２５３７号として、側板を構成する上側板部と下側板部の各接合部周縁に、鍵状の係止片と、これに係止し得る係合凹部を少なくとも一対設けるとともに、側板の接合部近傍の外側もしくは内側に、斜めに突出する覆部をそれぞれ形成することにより、清掃の便を図るとともに、コンテナの外表面に塵やゴミが溜まりにくく、印刷面としても利用できるようにしたものが提案されている。
　【０００５】
　【発明が解決しようとする課題】
　しかしながら、上記特開平４−２４２５３７号公報に記載されたものは、側板の外表面における洗浄性を向上させることができるものの、覆部の裏面及び覆部で覆われた部分の洗浄が困難となってしまうばかりでなく、覆板と覆部で覆われた部分との間に入り込んでここに溜まってしまう水を抜くために、水抜き孔を設ける必要があって、この水抜き孔の形成がかなり面倒であると考えられる。
　【０００６】
　なお、前記覆部を中空成形によって形成することにより、この内部に水が浸入しないようにすることもできるが、この場合、覆部、ひいては側板の形成がかなり困難になってしまうと考えられる。
　【０００７】
　本発明は上記に鑑み、側板の全外周面を表裏両面からくまなく洗浄することができるとともに、水抜き孔等を別途設けたり、中空成形する必要をなくして、容易に成形できるようにしたものを提供することを目的とする。
　【０００８】
　【課題を解決するための手段】
　上記目的を達成するため、本発明に係る折畳みコンテナは、フレームと底板との間に配置され、ヒンジを介して内方に折畳み自在な上側板部と下側板部とからなる側板を備え、上端を前記フレームに揺動自在に支承した煽り板で端部を閉塞するようにした折畳みコンテナにおいて、
　前記側板を立て起こした状態として見たときに、前記上側板部
の下部
上部とには
とこれらを連結する略垂直な面とにより
　【０００９】
　【作用】
　上記のように構成した本発明によれば、側板を構成する上側板部と下側板部は、
上側板部の下部と下側板部の上部
　【００１０】
　【実施例】
　以下、本発明の実施例を図面を参照して説明する。
　本実施例における折畳みコンテナ１は、矩形枠状のフレーム２と、矩形平板状の底板３と、このフレーム２と底板３の周縁部との間に配置されたそれぞれ一対の側板４及び煽り板５とから主に構成されている。
　【００１１】
　前記各側板４は、コンテナ１の側部を閉塞するためのものであり、ほぼ同じ形状を有する矩形平板状の上側板部６と下側板部７とから主に構成され、前記上側板部６の上端は前記フレーム２の長辺側に、下側板部７の下端は前記底板３の長辺側の周縁部にそれぞれ回転自在に連結されているとともに、両者６，７は、その接合部の両側部に設けられたヒンジ８を介して内方へ折畳み自在に連結されている。
　【００１２】
　一方、前記各煽り板５は、コンテナ１の端部を閉塞するためのものであり、矩形平板状に形成され、上端を前記フレーム２の短辺側に内方に揺動自在に支承されている。
　【００１３】
　これにより、各側板４をその上側板部６と下側板部７とを互いに重合させて折り込むとともに、各煽り板５を前記各上側板部６の上面に位置させつつ上方に揺動させることにより、コンテナ１を平板状に折畳み、各側板４をその上側板部６と下側板部７とが互いに同一平面となるよう伸展させるとともに、各煽り板５を下方に揺動させることにより、箱状に組み立ててコンテナとして使用できる状態にするようなされている。
　【００１４】
　前記各上側板部６の周縁部には、内方に開口した横断面コ字状の連続した膨出部９が、各下側板部７の周縁部にも、同じく内方に開口した横断面コ字状の連続した膨出部１０がそれぞれ一体に屈曲成形されている。
　【００１５】
　この各膨出部９、１０は、それぞれ上側板部６及び下側板部７をその周縁部で補強し、これによって上側板部６及び下側板部７の表面にリブを設ける必要を無くすためのものである。
　【００１６】
　前記膨出部９は、両端を半円状とするとともに、外方に向けて上下左右方向に拡がった傾斜を有するテーパ面９ａと、上側板部６の端部を内方に向けて略直角に屈曲させた水平部９ｂと
、このテーパ面９ａと水平面９ｂとこれらを連結する略垂直な面
とこれらを連続する略垂直な
　【００１７】
　膨出部１０も前記膨出部９とほぼ同様に、外方に向けて上下左右方向に拡がった傾斜を有するテーパ面１０ａと、下側板部７の端部を内方に向けて略直角に屈曲させた水平部１０ｂ
と、このテーパ面１０ａと水平面１０ｂとこれらを連結する略垂直な面
とこれらを連結する略垂直な面
　【００１８】
　これによって、上側板部６と下側板部７との伸展させた状態での接合部において、上側板部６の下端の水平面９ｂと下側板部７の上端の水平面１０ｂとが互いに対峙するようなされている。
　【００１９】
　このように、側板４を構成する上側板部６と下側板部７を、その周縁部に形成した横断面略コ字状の膨出部９，１０で補強することにより、リブを設ける必要をなくし、しかもこの膨出部９，１０の表面及び裏面を全て外部に露出させることによって、コンテナ内外からの水洗い等によって、膨出部９、１０を含めた側板４の全体をくまなく容易に洗浄することができる。
　【００２０】
　しかも、膨出部９，１０の裏面は、内方に向けて開放されているので、水洗いの際等にここに水が溜まってしまうことがなく、従って、水抜き孔等を別途設けたり、中空成形する必要はない。
　【００２１】
　更に、前記上側板部６の下端裏面に下方に延出するストッパ片１１が、下側板部７の上端裏面に上方に延出するストッパ片１２がそれぞれ互い違いに設けられ、これによって、上側板部６と下側板部７とを伸展させた時、このストッパ片１１が下側板部７の裏面上端に、ストッパ片１２が上側板部６の裏面上端にそれぞれ当接して、これ以上の回動を防止するようなされている。
　【００２２】
　【発明の効果】
　本発明は上記のような構成であるので、膨出部によって補強されて側板を構成する上側板部及び下側板部の表裏両面を、コンテナ内外からの水洗い等によって膨出部を含めくまなく洗浄することができる。しかも、
上側板部の下部と下側板部の上部に形成した
【図面の簡単な説明】
　【図１】
　本発明の一実施例を示す側板の断面図（図３のＡ−Ａ線断面図）である。
　【図２】
　同じく、全体斜視図である。
　【図３】
　同じく、一部切断の正面図である。
　【符号の説明】
　１　コンテナ
　２　フレーム
　３　底板
　４　側板
　５　煽り板
　６　上側板部
　７　下側板部
　９，１０　膨出部
　９ａ，１０ａ　テーパ面
　９ｂ，１０ｂ　水平面